(57)【要約】【課題】  コンクリート打継部の止水構造において、止水材の本体を構成している粘着性のあるゴムへの埃等の付着を防止し、このゴムの後打コンクリートの打設時における変形を抑止して、止水性能の確保を図ること。【解決手段】  前打コンクリート１１に止水材２０を介して後打コンクリート１２を打継ぐコンクリート打継部の止水構造において、止水材２０が、粘着性のあるゴムを少なくとも外面に備える本体２１を有し、本体２１の外面の少なくとも一部に繊維からなる外皮２２が付着されてなるもの。【選択図】  図１
0003165772.tif 000002
【実用新案登録請求の範囲】
【請求項１】
前打コンクリートに止水材を介して後打コンクリートを打継ぐコンクリート打継部の止水構造において、
止水材が、粘着性のあるゴムを少なくとも外面に備える本体を有し、本体の外面の少なくとも一部に繊維からなる外皮が付着されてなることを特徴とするコンクリート打継部の止水構造。
【請求項２】
前記本体が矩形断面の長尺状をなし、使用時に前打コンクリートに貼着されることとなる矩形断面の下面に使用時に剥離される剥離紙が設けられ、矩形断面の少なくとも上面に外皮が付着されてなる請求項１に記載のコンクリート打継部の止水構造。
【請求項３】
前記外皮が紙粉からなる請求項１又は２に記載のコンクリート打継部の止水構造。
【請求項４】
前記外皮が不織布からなる請求項１又は２に記載のコンクリート打継部の止水構造。
【考案の詳細な説明】
【技術分野】
【０００１】
本考案はコンクリート打継部の止水構造に関する。
【背景技術】
【０００２】
従来、コンクリート打継部の止水構造として、特許文献１に記載の如く、前打コンクリートに止水材を介して後打コンクリートを打継ぐものがある。このとき、止水材として、粘着性のある非加硫ブチルゴムを少なくとも外面に備える本体を有し、本体の外面の少なくとも一部に水溶性のポリビニルアルコール製の皮膜を設けるものを用いることとしている。
【０００３】
特許文献１に記載のコンクリート打継部の止水構造では、止水材の粘着性のある本体の外面がポリビニルアルコール製の皮膜で覆われていて埃等の付着を防止できるから、本体の外面を被覆しておく剥離紙が不要になり、後打コンクリートを打設する直前に行なっていた剥離紙の撤去作業を省略することが可能になり、結果として、前打コンクリートの端部に止水材を設置した状態で放置し、最適なタイミングで直ちに後打コンクリートを打設することが可能になり、施工性を大幅に向上させることが可能になるとしている。また、ポリビニルアルコール製の皮膜は水溶性であるため、打設された後打コンクリート中の水分により溶けて本体の外面が露出することになり、結果として、本体と後打コンクリートとが直接接触して強固に接着一体化され、前打コンクリートと後打コンクリートの間からの漏水を防止できるとしている。
【先行技術文献】
【特許文献】
【０００４】
【特許文献１】特許2941775
【考案の概要】
【考案が解決しようとする課題】
【０００５】
コンクリート打継部に用いられる止水材は、その本体の表面が前打コンクリートと後打コンクリートに強固に接着一体化して前打コンクリートと後打コンクリートの間からの漏水を完全に防止する必要がある。このため、特許文献１に記載のコンクリート打継部の止水構造では、本体を構成する非加硫ブチルゴムの粘着度を上げる必要があり、これは非加硫ブチルゴムをより柔軟で変形し易いものにする必要があることを意味する。
【０００６】
しかしながら、止水材の本体が柔軟で変形し易いものになると、後打コンクリートの打設時に、後打コンクリートの重い流動の力が止水材の本体を大きく変形させて所定の止水性能を確保できないおそれがある。
【０００７】
止水材の本体を覆っているポリビニルアルコール製の皮膜も、打設された後打コンクリート中の水分によって溶けて消失するものであり、本体を補強するものにはならず、本体の上述の大きな変形を抑止するものにならない。
【０００８】
本考案の課題は、コンクリート打継部の止水構造において、止水材の本体を構成している粘着性のあるゴムへの埃等の付着を防止し、かつこのゴムの後打コンクリートの打設時における変形を抑止して、止水性能の確保を図ることにある。
【課題を解決するための手段】
【０００９】
請求項１に係る考案は、前打コンクリートに止水材を介して後打コンクリートを打継ぐコンクリート打継部の止水構造において、止水材が、粘着性のあるゴムを少なくとも外面に備える本体を有し、本体の外面の少なくとも一部に繊維からなる外皮が付着されてなるようにしたものである。
【００１０】
請求項２に係る考案は、請求項１に係る考案において更に、前記本体が矩形断面の長尺状をなし、使用時に前打コンクリートに貼着されることとなる矩形断面の下面に使用時に剥離される剥離紙が設けられ、矩形断面の少なくとも上面に外皮が付着されてなるようにしたものである。
【００１１】
請求項３に係る考案は、請求項１又は２に係る考案において更に、前記外皮が紙粉からなるようにしたものである。
【００１２】
請求項４に係る考案は、請求項１又は２に係る考案において更に、前記外皮が不織布からなるようにしたものである。
【考案の効果】
【００１３】
（請求項１）
(a)止水材の粘着性のあるゴムからなる本体の外面が繊維からなる外皮で覆われていて埃等の付着を防止できる。従って、本体の外面を被覆しておく剥離紙が不要になり、後打コンクリートを打設する直前に行なっていた剥離紙の撤去作業を省略することが可能になり、結果として、前打コンクリートの端部に止水材を設置した状態で放置し、最適なタイミングで直ちに後打コンクリートを打設することが可能になり、施工性を大幅に向上させることが可能になる。
【００１４】
また、止水材の外皮を構成している繊維は、打設された後打コンクリート中の水分によって離解して本体の外面上で散らばり、本体の外面を後打コンクリートの側に露出させるものになる。従って、本体と後打コンクリートとが直接圧接して強固に接着一体化され、前打コンクリートと後打コンクリートの間からの漏水を防止できる。
【００１５】
(b)止水材の本体の外面に繊維からなる外皮が付着していて、この繊維が打設された後打コンクリート中の水分により溶ける等により消失することがなく本体の外面に添い続け、本体の補強材になる。従って、止水材の本体の表面が前打コンクリートと後打コンクリートに強固に接着一体化して前打コンクリートと後打コンクリートの間からの漏水を完全に防止する必要から、本体を構成するゴムの粘着度を上げ、ひいてはこのゴムが柔軟で変形し易いものになっても、上述の繊維からなる外皮がこの柔軟なゴムのための補強材になる。即ち、後打コンクリートの打設時に、後打コンクリートの重い流動の力が止水材の本体を構成する上述の柔軟なゴムに作用し、この柔軟なゴムを大きく変形させようとしても、その変形を繊維からなる外皮が抑止し、止水材による所望の止水性能を確保できる。
【００１６】
（請求項２）
(c)止水材の本体が矩形断面の長尺状をなし、使用時に前打コンクリートに貼着されることとなる矩形断面の下面に使用時に剥離される剥離紙が設けられ、矩形断面の少なくとも上面に外皮が付着される。従って、止水材の使用前に、本体の下面への埃等の付着を剥離紙により防止できる。また、止水材の使用時には、剥離紙を剥離した本体の下面のゴムを前打コンクリートの表面に接着して安定的に取付けできる。
【００１７】
（請求項３）
(d)箱に収容した紙粉の中に、止水材の本体を構成する粘着性のあるゴムを通す等により、ゴムの外面に簡易に紙粉からなる外皮を付着できる。紙粉を構成している紙の繊維は、後打コンクリート中の水分により溶けることなく、離解して本体の外面上で散らばる。
【００１８】
（請求項４）
(e)止水材の本体を構成する粘着性のあるゴムの外面に簡易に、レーヨン、ポリエステル、ポリプロピレン、ポリエチレン等の繊維をすき上げる等して絡み合わせた不織布のシートからなる外皮を付着できる。不織布を構成している繊維は、後打コンクリート中の水分により溶けることなく、離解して本体の外面上で散らばる。
【図面の簡単な説明】
【００１９】
【図１】図１はコンクリート打継部の止水構造を示す模式図である。
【図２】図２は止水材を示す断面図である。
【考案を実施するための形態】
【００２０】
図１は、本考案に係るコンクリート打継部の止水構造の一実施例を示すものであり、前打コンクリート１１に止水材２０を介して後打コンクリート１２を打継ぎしたものである。
【００２１】
止水材２０は、図２に示す如く、粘着性のあるゴムを少なくとも外面に備える本体２１を有し、本体２１の外面の少なくとも一部に繊維からなる外皮２２が付着されてなるものである。
【００２２】
本実施例の止水材２０の本体２１は、粘着性のある非加硫ブチルゴムからなる矩形断面（蒲鉾状断面等の他の断面でも可）の長尺状をなす。本体２１は、使用時に非加硫ブチルゴムの有する粘着力により前打コンクリート１１に貼着されることとなる矩形断面の下面に、使用時に剥離される剥離紙２３が設けられている。本体２１は、矩形断面の少なくとも上面、本実施例では上面及びその両側面に、非加硫ブチルゴムの有する粘着力により、外皮２２が付着されている。
【００２３】
止水材２０は、外皮２２として、紙粉（紙シートでも可）を採用できる。止水材２０の剥離紙２３が下面に設けられている本体２１を箱に収容した紙粉の中に通す等により、本体２１の少なくとも上面に、該本体２１の非加硫ブチルゴムの粘着力により、紙粉を付着させて外皮２２とするものである。
【００２４】
止水材２０は、外皮２２として、不織布を採用することもできる。本体２１の少なくとも上面に、該本体２１の非加硫ブチルゴムの粘着力により、レーヨン、ポリエステル、ポリプロピレン、ポリエチレン等の繊維からなる不織布のシートを付着させて外皮２２とするものである。
【００２５】
止水材２０は、不図示の巻芯の周囲に、例えば剥離紙２３を内側にして巻付けられたテープ状をなし、外端から巻き戻し、巻き戻された部分の剥離紙２３を剥離した後、前打コンクリート１１のコンクリート打継面の幅方向中央等の所定位置に貼着されて使用される。
【００２６】
従って、本実施例に係るコンクリート打継部の止水構造は以下の如くに実施される。
(1)前打コンクリート１１を打設する。
【００２７】
(2)前打コンクリート１１の乾燥後、又は生乾きの状態で、止水材２０において剥離紙２３を剥離した本体２１の下面を、前打コンクリート１１の表面であって、後打コンクリート１２が打継ぎされることとなる表面に貼着する。この状態で、後打コンクリート１２の打継ぎ時期まで待機することになるものの、本体２１の粘着性のある非加硫ブチルゴムからなる外面が外皮２２により覆われていて外界に露出していなから、この本体２１の外面に埃等が付着するおそれがない。
【００２８】
(3)後打コンクリート１２の打継ぎ時期が来たら、前打コンクリート１１に上述(2)の止水材２０を介して後打コンクリート１２を打継ぐ。このとき、止水材２０は本体２１から外皮２２を撤去することなく打設されるが、外皮２２を構成している紙粉又は不織布等の繊維が後打コンクリート１２中の水分によって離解して本体２１の外面上で散らばり、本体２１の外面を後打コンクリート１２の側に露出させる。これにより、前打コンクリート１１と後打コンクリート１２が止水材２０の本体２１に直接圧接することになり、前打コンクリート１１と後打コンクリート１２のセメント中のCaO成分が本体２１の非加硫ブチルゴムのカルボキシル基と化学的に反応してイオン結合し、止水材２０の本体２１が前打コンクリート１１と後打コンクリート１２に化学的に強固に接着一体化する。
【００２９】
本実施例によれば、以下の作用効果を奏する。
(a)止水材２０の粘着性のあるゴムからなる本体２１の外面が繊維からなる外皮２２で覆われていて埃等の付着を防止できる。従って、本体２１の外面を被覆しておく剥離紙２３が不要になり、後打コンクリート１２を打設する直前に行なっていた剥離紙２３の撤去作業を省略することが可能になり、結果として、前打コンクリート１１の端部に止水材２０を設置した状態で放置し、最適なタイミングで直ちに後打コンクリート１２を打設することが可能になり、施工性を大幅に向上させることが可能になる。
【００３０】
また、止水材２０の外皮２２を構成している繊維は、打設された後打コンクリート１２中の水分によって離解して本体２１の外面上で散らばり、本体２１の外面を後打コンクリート１２の側に露出させるものになる。従って、本体２１と後打コンクリート１２とが直接圧接して強固に接着一体化され、前打コンクリート１１と後打コンクリート１２の間からの漏水を防止できる。
【００３１】
(b)止水材２０の本体２１の外面に繊維からなる外皮２２が付着していて、この繊維が打設された後打コンクリート１２中の水分により溶ける等により消失することがなく本体２１の外面に添い続け、本体２１の補強材になる。従って、止水材２０の本体２１の表面が前打コンクリート１１と後打コンクリート１２に強固に接着一体化して前打コンクリート１１と後打コンクリート１２の間からの漏水を完全に防止する必要から、本体２１を構成するゴムの粘着度を上げ、ひいてはこのゴムが柔軟で変形し易いものになっても、上述の繊維からなる外皮２２がこの柔軟なゴムのための補強材になる。即ち、後打コンクリート１２の打設時に、後打コンクリート１２の重い流動の力が止水材２０の本体２１を構成する上述の柔軟なゴムに作用し、この柔軟なゴムを大きく変形させようとしても、その変形を繊維からなる外皮２２が抑止し、止水材２０による所望の止水性能を確保できる。
【００３２】
(c)止水材２０の本体２１が矩形断面の長尺状をなし、使用時に前打コンクリート１１に貼着されることとなる矩形断面の下面に使用時に剥離される剥離紙２３が設けられ、矩形断面の少なくとも上面に外皮２２が付着される。従って、止水材２０の使用前に、本体２１の下面への埃等の付着を剥離紙２３により防止できる。また、止水材２０の使用時には、剥離紙２３を剥離した本体２１の下面のゴムを前打コンクリート１１の表面に接着して安定的に取付けできる。
【００３３】
(d)箱に収容した紙粉の中に、止水材２０の本体２１を構成する粘着性のあるゴムを通す等により、ゴムの外面に簡易に紙粉からなる外皮２２を付着できる。紙粉を構成している紙の繊維は、後打コンクリート１２中の水分により溶けることなく、離解して本体２１の外面上で散らばる。
【００３４】
(e)止水材２０の本体２１を構成する粘着性のあるゴムの外面に簡易に、レーヨン、ポリエステル、ポリプロピレン、ポリエチレン等の繊維をすき上げる等して絡み合わせた不織布のシートからなる外皮２２を付着できる。不織布を構成している繊維は、後打コンクリート１２中の水分により溶けることなく、離解して本体２１の外面上で散らばる。
【００３５】
以上、本考案の実施の形態を図面により詳述したが、本考案の具体的な構成はこの実施の形態に限られるものではなく、本考案の要旨を逸脱しない範囲の設計の変更等があっても本考案に含まれる。例えば、止水材の本体は、粘着性のあるゴムを広く採用できる。また、本体は、例えば通常のゴム製芯材の外周を非加硫ブチルゴム等の粘着性のあるゴムで包んでなるものでも良い。
【００３６】
また、止水材の外皮は、繊維からなる皮膜形成材を広く採用できる。外皮として紙シートを採用するときには、例えば化学パルプを水酸化ナトリウムでアルカリセルロースに変え、モノクロル酢酸を反応させて、カルボキシメチルセルロース（CMCと略称される）をつくり、普通の化学パルプと混ぜて抄いた後、アルカリで処理して水に離解し易くした紙からなるものを好適に採用できる。
【産業上の利用可能性】
【００３７】
本考案によれば、コンクリート打継部の止水構造において、止水材の本体を構成している粘着性のあるゴムへの埃等の付着を防止し、このゴムの後打コンクリートの打設時における変形を抑止して、止水性能の確保を図ることができる。
【符号の説明】
【００３８】
１０  止水材
１１  前打コンクリート
１２  後打コンクリート
２０  止水材
２１  本体
２２  外皮
２３  剥離紙
【図１】
0003165772.tif 000003
【図２】
0003165772.tif 000004